(57)【特許請求の範囲】
【請求項１】
遊技機と、前記遊技機に対応して設置される台間機と、が設置された遊技場において、前記台間機から受信した遊技者情報に基づき、遊技者が喫煙者であるかまたは非喫煙者であるかを判定する喫煙判定手段と、
前記喫煙判定手段にて前記遊技者が喫煙者であると判定された場合に、前記遊技者に対して複数の喫煙エリアの内の１つまたは複数の選出された喫煙エリアで喫煙するように依頼する喫煙エリア選出手段と、
を備えたことを特徴とする管理コンピュータ。
【請求項２】
前記選出された喫煙エリアは、前記遊技者が遊技している遊技機を目視可能な位置に設置された喫煙エリアである、
ことを特徴とする請求項１に記載の管理コンピュータ。
【請求項３】
前記選出された喫煙エリアにおいて喫煙する予定の時間帯である予定時間情報を前記台間機から受信すると、前記予定時間情報の時間帯において前記選出された喫煙エリアが混雑するか否かを判定する選出エリア混雑度判定手段を備えた、
ことを特徴とする請求項１または２のいずれか１項に記載の管理コンピュータ。
【請求項４】
前記予定時間情報を受信し、前記選出された喫煙エリアが混雑すると判定された場合、前記予定時間情報の時間帯を変更する第１の喫煙時間変更手段を備えた、
ことを特徴とする請求項３に記載の管理コンピュータ。
【請求項５】
前記予定時間情報を受信し、前記遊技機から受信した稼働状態に基づいて、前記予定時間情報の時間帯を変更する第２の喫煙時間変更手段を備えた、
ことを特徴とする請求項３または４のいずれか１項に記載の管理コンピュータ。
【請求項６】
前記予定時間情報を受信し、前記選出された喫煙エリアにおいて喫煙する予定をキャンセルする喫煙予定キャンセル情報を前記台間機から受信すると、前記予定時間情報の喫煙予定をキャンセルする喫煙予定キャンセル手段を備えた、
ことを特徴とする請求項３ないし５のいずれか１項に記載の管理コンピュータ。
【発明の詳細な説明】
【技術分野】
【０００１】
この発明は、遊技場における喫煙を管理する管理コンピュータに関する。
【背景技術】
【０００２】
パチンコ機や封入式遊技機、パチスロ機などの遊技機が複数設置された遊技場においては、喫煙者と非喫煙者とが混在しており、喫煙者が吸うタバコの煙によって非喫煙者が不快な思いをする場合がある。このため、喫煙者と非喫煙者とが隣接して遊技をしていても、適切に分煙することが可能である、という装置が知られている（例えば、特許文献１参照。）。この装置は、隣り合う遊技機の境界上部に、下方に向かって空気を吹き出す送風機を備え、吹き出された空気によって上下方向に延びるエアーカーテンを形成し、隣席する遊技者の発する悪臭を遮断する、というものである。
【先行技術文献】
【特許文献】
【０００３】
【特許文献１】特開２００８−００５９７９号公報
【発明の概要】
【発明が解決しようとする課題】
【０００４】
しかしながら、上記特許文献１のような装置を備えたとしても、非喫煙者に不快感を完全に与えないようにすることは困難であり、非喫煙者に不快感を与えないためにも、遊技の際には喫煙をしないで、喫煙をする際には喫煙エリア（休憩所）に行く、という分煙が好ましい。ところが、喫煙エリアに行くには遊技を中断しなければならず、また、喫煙エリアに行くのが面倒な場合もあり、分煙がなかなか進まないのが実情であった。
【０００５】
そこでこの発明は、喫煙は喫煙エリアで行う、という分煙を促進することを可能にする管理コンピュータを提供することを目的とする。
【課題を解決するための手段】
【０００６】
上記課題を解決するために、請求項１に記載の発明は、遊技機と、前記遊技機に対応して設置される台間機と、が設置された遊技場において、前記台間機から受信した遊技者情報に基づき、遊技者が喫煙者であるかまたは非喫煙者であるかを判定する喫煙判定手段と、前記喫煙判定手段にて前記遊技者が喫煙者であると判定された場合に、前記遊技者に対して複数の喫煙エリアの内の１つまたは複数の選出された喫煙エリアで喫煙するように依頼する喫煙エリア選出手段と、を備えたことを特徴とする管理コンピュータである。
【０００７】
請求項２に記載の発明は、請求項１に記載の管理コンピュータにおいて、前記選出された喫煙エリアは、前記遊技者が遊技している遊技機を目視可能な位置に設置された喫煙エリアである、ことを特徴とする。
【０００８】
請求項３に記載の発明は、請求項１または２に記載の管理コンピュータにおいて、前記選出された喫煙エリアにおいて喫煙する予定の時間帯である予定時間情報を前記台間機から受信すると、前記予定時間情報の時間帯において前記選出された喫煙エリアが混雑するか否かを判定する選出エリア混雑度判定手段を備えた、ことを特徴とする。
【０００９】
請求項４に記載の発明は、請求項３に記載の管理コンピュータにおいて、前記予定時間情報を受信し、前記選出された喫煙エリアが混雑すると判定された場合、前記予定時間情報の時間帯を変更する第１の喫煙時間変更手段を備えた、ことを特徴とする。
【００１０】
請求項５に記載の発明は、請求項３または４のいずれか１項に記載の管理コンピュータにおいて、前記予定時間情報を受信し、前記遊技機から受信した前記稼働状態に基づいて、前記予定時間情報の時間帯を変更する第２の喫煙時間変更手段を備えた、ことを特徴とする。
【００１１】
請求項６に記載の発明は、請求項３ないし５のいずれか１項に記載の管理コンピュータにおいて、前記予定時間情報を受信し、前記選出された喫煙エリアにおいて喫煙する予定をキャンセルする喫煙予定キャンセル情報を前記台間機から受信すると、前記予定時間情報の喫煙予定をキャンセルする喫煙予定キャンセル手段を備えた、ことを特徴とする。
【発明の効果】
【００１２】
請求項１の発明によれば、喫煙判定手段により遊技者が喫煙者であるかまたは非喫煙者であるかが判定され、遊技者が喫煙者の場合には、喫煙エリア選出手段によりこの遊技者に対して複数の喫煙エリアの内の１つまたは複数の選出された喫煙エリアで喫煙するように依頼される。これにより、喫煙は喫煙エリアで行うという分煙を促進することが可能となる。
【００１３】
請求項２の発明によれば、喫煙エリア選出手段は、遊技者が遊技している遊技機を目視可能な位置に設置された喫煙エリアを選出するため、遊技者は、近くの喫煙エリアで喫煙したり、自分が遊技している遊技機が見える喫煙エリアで喫煙することが可能となる。
【００１４】
請求項３の発明によれば、喫煙エリアで喫煙する予定の時間帯が入力されると、入力された時間帯において喫煙エリアが混雑するか否かが判定されるため、適正な喫煙管理を行ったり、喫煙エリアの円滑かつ効率的な運用を促進したりすることが可能となる。
【００１５】
請求項４の発明によれば、入力された時間帯において喫煙エリアが混雑すると判定された場合、別の時間帯での喫煙が推薦されるため、遊技者による円滑な喫煙を促進できるとともに、喫煙エリアの円滑かつ効率的な運用を図ることが可能となる。
【００１６】
請求項５の発明によれば、遊技機の稼働状態に基づいて別の時間帯での喫煙が推薦されるため、遊技者は、遊技の状況に応じた適正な時間帯で喫煙を行うことができるとともに、喫煙による遊技への支障を抑制、防止することが可能となる。この結果、喫煙エリアでの喫煙をさらに促進することが可能となる。
【００１７】
請求項６の発明によれば、入力された時間帯に選出された喫煙エリアで喫煙することをキャンセルできるため、遊技者による円滑な喫煙を促進できるとともに、喫煙エリアの円滑かつ効率的な運用を図ることが可能となる。
【図面の簡単な説明】
【００１８】
【図１】この発明の実施の形態に係る遊技場喫煙管理システムを示す図である。
【図２】図１の遊技場喫煙管理システムの概略構成ブロック図である。
【図３】図１の遊技場喫煙管理システムが適用される遊技場の概略平面図・見取り図である。
【図４】図１の遊技場喫煙管理システムの台間機の構成ブロック図である。
【図５】図１の遊技場喫煙管理システムの台間機を示す正面図である。
【図６】図１の遊技場喫煙管理システムの管理コンピュータの構成ブロック図である。
【図７】図１の遊技場喫煙管理システムの店員携帯端末の正面図である。
【図８】図１の遊技場喫煙管理システムの作用を示すタイミングチャートである。
【発明を実施するための形態】
【００１９】
以下、この発明を図示の実施の形態に基づいて説明する。
【００２０】
図１および図２は、この発明の実施の形態に係る管理コンピュータ５を備えた遊技場喫煙管理システム１を示す構成図である。この管理コンピュータ５は、パチンコ機や封入式遊技機、パチスロ機を含む遊技機１０１と、遊技機１０１に対応して設置される台間機と、が設置された遊技場１００において、前記台間機から受信した遊技者情報に基づき、遊技者が喫煙者であるかまたは非喫煙者であるかを判定する喫煙判定手段と、前記喫煙判定手段にて前記遊技者が喫煙者であると判定された場合に、前記遊技者に対して複数の喫煙エリアの内の１つまたは複数の選出された喫煙エリアで喫煙するように依頼する喫煙エリア選出手段と、前記選出された喫煙エリアにおいて喫煙する予定の時間帯である予定時間情報を前記台間機から受信すると、前記予定時間情報の時間帯において前記選出された喫煙エリアが混雑するか否かを判定する選出エリア混雑度判定手段と、前記予定時間情報を受信し、前記選出された喫煙エリアが混雑すると判定された場合、前記予定時間情報の時間帯を変更する第１の喫煙時間変更手段と、前記予定時間情報を受信し、前記遊技機から受信した稼働情報に基づき、前記予定時間情報の時間帯を変更する第２の喫煙時間変更手段と、前記予定時間情報を受信し、前記選出された喫煙エリアにおいて喫煙する予定をキャンセルする喫煙予定キャンセル情報を前記台間機から受信すると、前記予定時間情報の喫煙予定をキャンセルする喫煙予定キャンセル手段と、を備える。
【００２１】
また、前記選出された喫煙エリアは、前記遊技者が遊技している遊技機を目視可能な位置に設置された喫煙エリアである。
【００２２】
「遊技場喫煙管理システム１の構成」
遊技場喫煙管理システム１は、主として、会員カード（携帯記憶手段）２と、台間機３と、島管理コンピュータ４と、管理コンピュータ５と、店員携帯端末６とを備えている。まず、管理コンピュータ５の配下にネットワークＮＷを介して接続された複数の島管理コンピュータ４と、この島管理コンピュータ４の配下にネットワークＮＷを介して接続された複数の台管理コンピュータ７と、この台管理コンピュータ７の配下にネットワークＮＷを介して接続された複数の台間機（サンド）３および呼出ランプ８と、この呼出ランプ８を介して台管理コンピュータ７に接続された複数の遊技機１０１と、を有している。そして、遊技機１０１から送信される稼働信号などは、呼出ランプ８、台管理コンピュータ７および島管理コンピュータ４を介して管理コンピュータ５へ伝達され、管理コンピュータ５で収集、管理される。なお、遊技機１０１と管理コンピュータ５とを、呼出ランプ８、台管理コンピュータ７および島管理コンピュータ４を介して接続しているが、遊技機１０１から送信される稼働信号などを管理コンピュータ５が収集できる構成であればよい。ここで、ネットワークＮＷは、典型的には、ＬＡＮ（Ｌｏｃａｌ  Ａｒｅａ  Ｎｅｔｗｏｒｋ）であるが、通信の形態は有線／無線を問わず、各装置間で相互に通信可能な回線であればよい。
【００２３】
ここでは、装置全体を１台の管理コンピュータ５で制御する場合を例として説明するが、装置全体を２台以上の管理コンピュータ５によって制御してもよい。このように構成することにより、装置全体の制御負担を分散することができるので、装置全体の処理能力が高まり、遊技機１０１や台間機３からの稼働信号を迅速に収集して適切な処理を行うことが可能となる。また、島管理コンピュータ４、台管理コンピュータ７、台間機３、呼出ランプ８、および、遊技機１０１の台数も、例示した台数に限定されない。
【００２４】
ここで、遊技機１０１から送信される稼働信号について詳述する。遊技機１０１の背面には、遊技盤面（図示略）に打ち出された遊技球の数（打玉数）を計数可能な打玉計数機（図示略）を備えたアウトボックス（図示略）が配設されている。遊技機１０１は、アウトボックスの打玉計数機からの情報に基づいて、遊技球が遊技盤面に向けて打ち出されたことを示す稼働信号（打玉信号）を、呼出ランプ８へ向けて外部出力端子から出力する。なお、遊技盤面に打ち出された遊技球は、打玉のほか、アウト玉と呼ばれることがあり、打玉数は、アウト玉数と呼ばれることがある。
【００２５】
具体的には例えば、打玉信号として、遊技球が１個打ち出されるたびに（消費されるたびに）１つのパルスを出力する。この打玉信号は、呼出ランプ８においてパケットの形式に変換された後、呼出ランプ８、台管理コンピュータ７、および島管理コンピュータ４を経由して、管理コンピュータ５に送信される。したがって、管理コンピュータ５は、打玉信号の情報を含むパケットを受信することで、遊技機１０１において遊技球が遊技盤面に向けて打ち出されたことを把握することができ、また、打玉信号の情報を含むパケットの数をカウントすることで、打ち出された遊技球の量（打玉数）の情報を取得することもできるようになっている。
【００２６】
なお、ここで説明した遊技機１０１の稼働信号は一例であり、稼働信号は遊技機の種類や機種によって異なる。従って、例えば、時短状態であることを示す稼働信号（時短信号）や、アウトボックス等が満杯になって出玉計数機での計数ができない場合に遊技機１０１が有する出玉情報に基づいて理論上の出玉数（理論出玉数）を出力するための稼働信号（入賞セーフ信号）や、遊技機１０１に補充された遊技媒体の数を示す稼働信号（補給信号）などを稼働信号に含めてもよい。
【００２７】
また、遊技機１０１は、遊技機１０１の稼働状態を示す稼働信号を外部に向けて送信する機能を備えたものであればよく、パチンコ機以外にも、例えば、パチスロ機（スロットマシン）や、パチンコ用の遊技球を遊技媒体として使用するパチスロ機（いわゆるパチロット機）や、遊技機１０１内に封入された遊技球を循環使用する封入式遊技機によっても実現可能である。なお、封入式遊技機の場合には、パチンコ機から出力される上述の各種信号の一部またはすべてと同一または類似の信号が出力されるようになっている。
【００２８】
例えば、遊技機１０１としてスロットマシンを採用した場合、ＢＢ遊技やＲＢ遊技が開始されたことを示す稼働信号、ＡＴ中であることを示す稼働信号、リールが回転中であることを示す稼働信号、スタートレバーが操作されたことを示す稼働信号、停止ボタン（ストップボタン）が操作されたことを示す稼働信号、遊技メダルが投入されたことを示す稼働信号、遊技メダルがベットされたことを示す稼働信号、遊技メダルの払い出しを行ったことを示す稼働信号、内部抽選を行ったことを示す稼働信号、入賞役が決定したことを示す稼働信号、などを出力してもよい。
【００２９】
呼出ランプ８は、各遊技機１０１の上部に配設されており、所定の入賞イベント（例えば、大当り遊技）に応じて所定の表示（例えば、点滅表示）を行う表示器であり、遊技機１０１から送信された稼働信号を、台管理コンピュータ７へ伝送する機能も有している。
【００３０】
なお、ここででは、呼出ランプ８に、遊技機１０１から受信した稼働信号を台管理コンピュータ７へ伝達する機能を持たせているが、当該機能を呼出ランプ８以外の装置に持たせてもよいし、遊技機１０１から台管理コンピュータ７へ直接、稼働信号を送信し、台管理コンピュータ７において稼働信号をパケットに変換する処理を行うように構成してもよい。
【００３１】
また、遊技機１０１に加えて、呼出ランプ８が稼働信号を送信可能に構成してもよく、例えば、呼出ランプ８の近傍に呼出ボタンを配設し、当該呼出ボタンが押下操作された場合に、呼出ランプ８が呼出ボタンの押下操作の有無を示す稼働信号（呼出信号）を送信するように構成してもよい。また、この例では、遊技機１０１に１対１に対応させて呼出ランプ８を設ける例を示したが、呼出ランプ８と遊技機１０１の数の対応関係は、これに限定されない。
【００３２】
「遊技場１００の構成」
次に、遊技場１００について説明する。図３に示すように、遊技場１００の遊技エリア１１０内には、複数の遊技機１０１が直線的に配列された遊技機島１０２が、複数並列に設置されている。また、喫煙エリア１２０は、遊技エリア１１０外に位置して壁１０３に沿って設けられ、人が休憩したり通行したりするとともに喫煙が可能なエリアであり、遊技機１０１を目視可能となっている。また、喫煙エリア１２０の壁１０３際の一部には、人が座るためのソファ１２１や灰皿が複数配置されている。このような喫煙エリア１２０は複数設けられ、さらに、遊技エリア１１０から離れた場所に喫煙ブースが喫煙エリアとして設けられている。
【００３３】
「会員カード２の構成」
会員カード２は、遊技者Ｐが携帯するＩＣカードであり、この遊技者Ｐの遊技者情報が記憶され、外部から遊技者情報を読取可能となっている。ここで、遊技者情報には、遊技者Ｐの識別情報（氏名、ＩＤ）や、この遊技者Ｐが喫煙者か非喫煙者かの情報、特典に関する情報などが含まれる。このような会員カード２は、遊技場１００の店員Ｃによって作成され、遊技者情報が記憶されるようになっている。このように、この実施の形態では、会員カード２を携帯記憶手段としているが、遊技者Ｐの携帯電話や携帯端末などを携帯記憶手段としてもよい。
【００３４】
「台間機３の構成」
台間機３は、各遊技機１０１に対応して設けられ、各遊技機１００に隣接して１台ずつ配設されている。この台間機３は、遊技媒体（玉、メダル等）を貸出す役割以外に、島管理コンピュータ４を介して管理コンピュータ５と通信自在に接続され、図４に示すように、主として、ＩＣリーダ（情報読取手段）３１と、表示部（分煙依頼手段）３２と、入力部（喫煙時間入力手段）３３と、通報スイッチ（喫煙通報手段）３４と、休憩スイッチ（分煙判定手段）３５と、カメラ（分煙判定手段、稼働状態検出手段）３６と、喫煙ランプ３７と、これらを制御などする中央処理部３８とを備えている。ここで、この実施の形態では、台間機３に各構成３１〜３８を備えているが、その一部またはすべてを呼出ランプ８に備えてもよい。
【００３５】
ここで、台間機３の一般的な構成について、概略を説明する。台間機３は、図５に示すように、紙幣挿入口１３１と、ＩＣコイン投入口１３２と、ＩＣコイン返却口１３３と、カード挿入口１３４と、ランプ１３５等を備えている。また、台間機３は、台間機３における稼働状況（売上玉数、ＩＣコインの有無など）を示す稼働信号（関連装置稼働信号）を、管理コンピュータ５に向けて送信するための通信デバイスを備えている。なお、各遊技機１０１に対応して設置される関連装置は、台間機３に限定されるものではなく、例えば、カードリーダ、玉貸機、メダル貸機、賞球メータ（賞球の計数を行う装置）なども含まれる。また、遊技機１０１に１対１に対応させて台間機３を設ける例を示すが、台間機３と遊技機１０１の数の対応関係は、これに限定されない。すなわち、台間機３は、本例のように、１台の遊技機１０１につき１台を必要とする「ＣＲユニット」に限定されるものではなく、２台の遊技機１０１に対して１台で動作可能な「ニコイチＣＲユニット」や、３台以上の遊技機１０１に対して１台で動作可能な台間機等も含まれる。
【００３６】
紙幣挿入口１３１は、遊技者Ｐが遊技媒体の貸し出しを受けるために現金を挿入する挿入口で、現金が挿入された場合に、現金が入金されたことを示す稼働信号（入金信号）の情報を含むパケットを出力する。この入金信号の情報を含むパケットは、台管理コンピュータ７および島管理コンピュータ４を経由して、管理コンピュータ５に送信される。ＩＣコイン投入口１３２およびＩＣコイン返却口１３３は、ＩＣコインの挿入、排出を行うための開口部である。ここで、ＩＣコインとは、コイン型の筐体に記憶媒体を内蔵したものであり、遊技媒体の数量をデータ化して記憶させ、遊技者Ｐによる持ち運びを容易にするために使用されている。台間機３は、現金またはＩＣコインにより遊技者Ｐが玉貸しを受けた場合に、入金状態で遊技者が玉貸しを受けたこと、すなわち、売上が上がったことを示す稼働信号（売上信号）の情報を含むパケットを出力する。この売上信号の情報を含むパケットは、台管理コンピュータ７および島管理コンピュータ４を経由して、管理コンピュータ５に送信される。従って、管理コンピュータ５は、売上信号を含むパケットを受信することで、台間機３において遊技球の貸し出しがあったことを把握することができ、また、売上信号を含むパケットの数をカウントすることで、貸し出しされた遊技球の量（売上玉数）の情報を取得することもできる。
【００３７】
カード挿入口１３４は、会員カード２の挿入を受け付ける挿入口であり、このカード挿入口１３４に会員カード２が挿入されると、後述するＩＣリーダ３１で遊技者情報が読み取られるようになっている。そして、読み取られた情報を示す稼働信号の情報（会員カード情報）を含むパケットを出力し、このパケットは、台管理コンピュータ７および島管理コンピュータ４を経由して、管理コンピュータ５に送信される。また、台間機３は、カード挿入口１３４から会員カード２が排出された場合に、会員カード２が排出されたことを示す稼働信号の情報（会員カード排出信号情報）を含むパケットを出力する。この会員カード排出信号情報の情報を含むパケットは、台管理コンピュータ７および島管理コンピュータ４を経由して、管理コンピュータ５に送信される。なお、ここで説明した台間機３の稼働信号は一例であり、稼働信号は台間機３の種類によって異なる。従って、台間機３の機種によっては、異常が発生していることを示すエラー信号などを稼働信号に含めてもよい。また、ランプ１３５は、対応する遊技機１０１や当該台間機３の状態を表示するためのものである。例えば、会員カード２が台間機３から排出されなかった場合に所定の色（例えば、赤色）を表示して会員カード２の取り忘れを警報する。
【００３８】
ＩＣリーダ３１は、会員カード２から遊技者情報を読み取る装置であり、読み取った遊技者情報は遊技機１０１の識別情報とともに島管理コンピュータ４に送られ、さらに、島管理コンピュータ４から管理コンピュータ５に送信される。これにより、どの遊技機１０１でどの遊技者Ｐが遊技しているか、この遊技者Ｐが喫煙者か非喫煙者か、などが管理コンピュータ５で判定できるようになっている。また、このＩＣリーダ３１は、情報を会員カード２に書き込む機能も備え、管理コンピュータ５から受信した特典を上書きするようになっている。
【００３９】
表示部３２は、各種の情報を表示するディスプレイである。例えば、ＩＣリーダ３１によって会員カード２から遊技者情報が読み取られ、この遊技者Ｐが喫煙者の場合に、喫煙エリアでの喫煙を依頼するメッセージを表示したり、喫煙エリアで喫煙する予定の時間帯の入力画面を表示したりする。また、管理コンピュータ５から受信した推薦する喫煙時間帯（喫煙予定時間帯）や喫煙エリアなどを表示する。
【００４０】
入力部３３は、各種の情報を遊技者Ｐが入力可能なパネルである。例えば、喫煙エリアで喫煙する予定の時間帯の入力画面が表示部３２にされた場合に、喫煙エリアで喫煙する予定の時間帯を入力可能で、入力された時間帯は予定時間情報として、遊技機１０１の識別情報または遊技者Ｐの識別情報とともに、管理コンピュータ５に送信されるようになっている。そして、この時間帯が喫煙予定時間帯として、遊技機１０１の識別情報または遊技者Ｐの識別情報とともに管理コンピュータ５に記憶される。
【００４１】
通報スイッチ３４は、他の遊技機１０１の前で喫煙が行われていることや、喫煙前の状態であることを通報するためのスイッチである。すなわち、この通報スイッチ３４をオンすると、喫煙が行われている旨の通報信号と、この遊技機１０１の識別情報または遊技者Ｐの識別情報が管理コンピュータ５に送信されるようになっている。ここで、遊技機１０１の前での喫煙には、遊技者Ｐによる喫煙の他に、遊技者Ｐの同伴者で遊技をしない者による喫煙なども含まれる。
【００４２】
休憩スイッチ３５は、遊技者Ｐが遊技を中断して休憩することを知らせるためのスイッチである。すなわち、この休憩スイッチ３５をオンすると、休憩する旨の休憩信号と、この遊技機１０１の識別情報または遊技者Ｐの識別情報が管理コンピュータ５に送信されるようになっている。このような通報スイッチ３４や休憩スイッチ３５は、タッチパネルの表示部３２が備えてもよい。
【００４３】
カメラ３６は、遊技者Ｐの様子や遊技機１０１の状態などを監視するためのカメラであり、撮影された画像、映像に基づいて中央処理部３８で画像解析されるようになっている。具体的には、遊技者Ｐが喫煙しているか否かを解析したり、遊技機１０１の稼働状態を解析したりし、その画像解析結果をこの遊技機１０１の識別情報または遊技者Ｐの識別情報とともに、管理コンピュータ５に送信する。すなわち、このカメラ３６は、遊技者Ｐが喫煙エリアで喫煙したか否か（換言すれば、遊技機１０１の前で喫煙したか否か）を判定する分煙判定手段と、遊技機１０１の稼働状態を検出する稼働状態検出手段と、を構成している。ここで、遊技機１０１から送信される稼働信号を受信することで、稼働状態を検出してもよい。また、このようなカメラ３６は、遊技機１０１自体やその周辺に配設してもよく、遊技場１００全体を監視する監視カメラで代用してもよい。
【００４４】
喫煙ランプ３７は、この遊技機１０１の前で喫煙されていることを示すランプである。すなわち、上記のようにして、カメラ３６と中央処理部３８とで遊技者Ｐが喫煙していることが検出されると、喫煙ランプ３７が点灯する。これにより、遊技中に喫煙が行われていることを店員Ｃなどに通知できるものである。また、後述するように、管理コンピュータ５から各店員携帯端末６に対して喫煙情報が送信され、各店員携帯端末６のタッチパネル６１に喫煙者である遊技者Ｐの位置が表示される。
【００４５】
「島管理コンピュータ４の構成」
島管理コンピュータ４は、各遊技機島１０２に対応して設けられ、遊技機島１０２内の全台間機３（全遊技機１０１）および管理コンピュータ５と通信自在に接続されている。そして、各台間機３と管理コンピュータ５とをつなぐ中継局的役割を備え、各台間機３から受信した情報を管理コンピュータ５に送信し、管理コンピュータ５から受信した情報を所定の（この情報に含まれる遊技機１０１の識別情報の）台間機３に送信するものである。
【００４６】
「管理コンピュータ５の構成」
管理コンピュータ５は、遊技場１００に１つ設けられ、各島管理コンピュータ４および各店員携帯端末６と通信自在に接続されている。この管理コンピュータ５は、会員に関する情報を管理したり、各遊技機１０１を管理したりするコンピュータであり、さらに、図６に示すように、主として、分煙判定部（分煙判定手段）５１と、特典付与部（特典付与手段）５２と、第１の時間変更部（第１の喫煙時間変更手段）５３と、第２の時間変更部（第２の喫煙時間変更手段）５４と、エリア推薦部（喫煙エリア選出手段）５５と、端末管理部５６と、これらを制御するとともに、台間機３から遊技者情報、予定時間情報、及び喫煙予定キャンセル情報を受信し、遊技者情報に基づいて遊技者が喫煙者であるかまたは非喫煙者であるかを判定し、予定時間情報の喫煙予定時間帯において選出された喫煙エリアが混雑するか否かを判定する中央処理部（喫煙判定手段、及び選出エリア混雑度判定手段）５７とを備えている。
【００４７】
分煙判定部５１は、喫煙者である遊技者Ｐが喫煙エリアで喫煙したか否かを判定するタスクである。具体的には、台間機３から休憩信号を受信し、この休憩信号を送信した遊技者Ｐが喫煙者である場合に、この遊技者Ｐの喫煙予定時間帯に休憩信号を受信したか否かを判断する。そして、喫煙予定時間帯に休憩信号を受信した場合に、遊技者Ｐが喫煙エリアで喫煙したと判定する。ただし、この遊技者Ｐの台間機３から、遊技者Ｐが喫煙している旨の画像解析結果を受信した場合には、喫煙エリアで喫煙していないと判定する。このように、喫煙予定時間帯に休憩し、かつ、遊技機１０１の前で喫煙していない場合に、喫煙エリアで喫煙したと判定するものである。
【００４８】
特典付与部５２は、分煙判定部５１で遊技者Ｐが喫煙エリアで喫煙したと判定した場合に、この遊技者Ｐに対して特典を付与するタスクである。すなわち、各遊技者Ｐの遊技者情報を記憶するメモリを備え、この遊技者Ｐに対して所定の特典を付与してメモリに記憶するとともに、その特典をこの遊技者Ｐの台間機３に送信して、会員カード２に記憶する。また、遊技者Ｐが非喫煙者の場合にも、この遊技者Ｐに対して所定の特典を付与してメモリに記憶するとともに、その特典を会員カード２に記憶する。
【００４９】
さらに、通報信号を受信した場合に、この通報信号を送信した遊技者Ｐまたは店員Ｃに対して特典を付与する。つまり、遊技機１０１の前で喫煙が行われていることや、喫煙前の状態であることを通報した遊技者Ｐまたは店員Ｃに対して、所定の特典を付与する。このように、遊技者Ｐのみならず店員Ｃに対しても特典が付与される。ただし、遊技者Ｐからの通報に対して、喫煙が行われていないことを店員Ｃが確認した場合には、特典は付与されない。ここで、特典は、おしぼりやコーヒー、食事などのサービスを受けられるものであり、来場ポイントなどの他の特典と合算可能となっている。また、店員Ｃに対しては、貢献した証として給与に反映させてもよく、これにより、店員Ｃのモチベーションを向上させることができる。
【００５０】
第１の時間変更部５３は、遊技者Ｐが入力部３３で入力して台間機３から受信した時間帯において、喫煙エリアが混雑するか否かを判定し、混雑すると判定した場合に、別の時間帯での喫煙を推薦するタスクである。すなわち、台間機３から受信した時間帯に対して、既に所定数（混雑数）以上の遊技者Ｐから予定時間情報を受信しているか否かを判定する。そして、所定数以上の予定時間情報を受信している場合には、遊技者Ｐからの予定時間情報が所定数に達していない時間帯で、かつ、台間機３から受信した時間帯に近い時間帯を選出する。そして、この時間帯を喫煙予定時間帯として、遊技機１０１の識別情報または遊技者Ｐの識別情報とともに記憶し、喫煙予定時間帯を台間機３に送信する。これを受けて台間機３の表示部３２に、この喫煙予定時間帯での喫煙を薦めるメッセージが表示される。
【００５１】
第２の時間変更部５４は、遊技機１０１の稼働状態に基づいて、喫煙エリアでの喫煙を推薦する時間帯を出力するタスクである。すなわち、台間機３から稼働状態を含む画像解析結果を受信し、第１に、例えば、稼働状態が大当たり中で現時刻が喫煙予定時間帯に近い場合には、現時刻から大当たりが終了すると予測される所定時間後を、喫煙を推薦する時間帯とする。第２に、例えば、稼働状態が大当たり中でなく現時刻が喫煙予定時間帯よりも所定時間以上前の場合には、現時刻から所定時間後を、喫煙を推薦する時間帯とする。このように、喫煙する時間帯が大当たり中に重ならないようにする。そして、喫煙を推薦する時間帯を喫煙予定時間帯として、遊技機１０１の識別情報または遊技者Ｐの識別情報とともに記憶し、喫煙予定時間帯を台間機３に送信する。これを受けて台間機３の表示部３２に、この喫煙予定時間帯での喫煙を薦めるメッセージが表示される。ここで、上記のように、台間機３のカード挿入口１３４に会員カード２を挿入したり、遊技機１０１のハンドルやレバーを操作したり、その他遊技を行っている状態の信号が検出されれば稼働と判断する。そして、大当たり等で、遊技者Ｐが席から離れにくい状況になっている場合に、第２の時間変更部５４によって喫煙エリアでの喫煙を推薦する時間帯を出力するようにしてもよい。また、稼働の判断は遊技機１０１（台間機３）が動作していることが分かれば足り、画像による稼働の判断は補間的な機能である。したがって、遊技機１０１や台間機３から送信される稼働状態の信号で十分判断可能である。
【００５２】
エリア推薦部５５は、遊技場１００に複数の喫煙エリアが設けられ、遊技者Ｐが喫煙者の場合に、この遊技者Ｐが遊技している遊技機１０１の位置に基づいて喫煙エリアを推薦するタスクである。すなわち、上記のように、会員カード２から読み取られた遊技者情報が管理コンピュータ５に送信されることで、この遊技者が遊技している遊技機１０１の位置が判定され、この遊技機１０１に近くかつこの遊技機１０１を目視確認可能な喫煙エリアを選出する。そして、選出した喫煙エリアを遊技機１０１の識別情報または遊技者Ｐの識別情報とともに記憶し、選出した喫煙エリアを台間機３に送信する。これを受けて台間機３の表示部３２に、この喫煙エリアでの喫煙を薦めるメッセージが表示される。
【００５３】
端末管理部５６は、各店員携帯端末６を管理、制御するためのタスクである。具体的には、まず、台間機３から遊技者情報を受信する度に、この台間機３の位置および遊技者Ｐが喫煙者か非喫煙者かを含む新着情報を各店員携帯端末６に送信する。また、台間機３から通報信号を受信した場合に、この台間機３の位置および通報信号を含む通報情報を各店員携帯端末６に送信する。同様に、遊技者Ｐが喫煙していることを示す画像解析結果（稼働状態）を台間機３から受信した場合に、この台間機３の位置および喫煙の旨を含む喫煙情報を各店員携帯端末６に送信する。さらに、遊技が終了したことを示す画像解析結果（稼働状態）を台間機３から受信した場合に、この台間機３の位置および遊技終了の旨を含む終了情報を各店員携帯端末６に送信する。
【００５４】
このような管理コンピュータ５に記憶された情報を、第三者機関のサーバに送信、記憶し、他の遊技場や施設のコンピュータなどから第三者機関のサーバに記憶された情報とともに、データとして蓄積、利用するようにしてもよい。また、特典は、この遊技場１００のみならず、加盟・協定している他の遊技場や施設などにおいても利用できるようにしてもよい。
【００５５】
「店員携帯端末６の構成」
各店員携帯端末６は、遊技場１００の店員Ｃが携帯する端末であり、例えば、図７に示すように、表示部と入力部とを兼ね備えたタッチパネル６１を備え、遊技場１００のレイアウト（各遊技機１０１の位置等）をタッチパネル６１に表示可能な端末である。そして、管理コンピュータ５から新着情報を受信すると、新着情報中の遊技者Ｐの位置に喫煙者マーク（図７中「×」）または非喫煙者マーク（図７中「○」）を示したレイアウトをタッチパネル６１に表示する。このようにして、台間機３からの遊技者情報に基づいて、喫煙者および非喫煙者の双方の位置を表示する。一方、管理コンピュータ５から終了情報を受信すると、この遊技者Ｐの位置で喫煙者マークおよび非喫煙者マークを消去したレイアウトをタッチパネル６１に表示する。
【００５６】
また、管理コンピュータ５から通報情報を受信すると、通報信号を送信した台間機３の位置に通報元マークを示したレイアウトをタッチパネル６１に表示する。同様に、管理コンピュータ５から喫煙情報を受信すると、画像解析結果を送信した台間機３の位置に喫煙元マークを示したレイアウトをタッチパネル６１に表示する。
【００５７】
一方、店員Ｃが、遊技機１０１の前で喫煙が行われていることや、喫煙前の状態であることを発見した場合に、タッチパネル６１で所定操作を行うことで、この遊技機１０１の識別情報と通報信号とが管理コンピュータ５に送信されるようになっている。
【００５８】
「遊技場喫煙管理システム１の作用等」
次に、このような構成の遊技場喫煙管理システム１の作用などについて説明する。
【００５９】
図８に示すように、まず、遊技者Ｐが遊技機１０１の前に座り会員カード２をＩＣリーダ３１に挿入すると、会員カード２から遊技者情報が読み取られ（ステップＳ１）、読み取った遊技者情報が管理コンピュータ５に送信され（ステップＳ２）、遊技機１０１の識別情報とともに管理コンピュータ５に記憶される。さらに、新着情報が各店員携帯端末６に送信され（ステップＳ３）、この遊技者Ｐの位置と、この遊技者Ｐが喫煙者であるか非喫煙者であるかが、各店員携帯端末６のタッチパネル６１に表示される。
【００６０】
次に、遊技者Ｐが喫煙者の場合、表示部３２に、喫煙エリアでの喫煙を依頼するメッセージが表示されるとともに、喫煙エリアで喫煙する予定の時間帯の入力画面が表示される。そして、遊技者Ｐが入力部３３で喫煙する予定の時間帯を入力すると（ステップＳ４）、予定時間情報が管理コンピュータ５に送信される（ステップＳ５）。続いて、エリア推薦部５５が起動され（ステップＳ６）、この遊技機１０１に近くかつこの遊技機１０１を目視確認可能な喫煙エリアが選出される。さらに、第１の時間変更部５３が起動され（ステップＳ７）、受信した予定時間情報の時間帯において、喫煙エリアが混雑するか否かが判定され、混雑すると判定した場合には、別の時間帯が喫煙予定時間帯として選出される。そして、選出した喫煙エリアや喫煙予定時間帯が台間機３に送信され（ステップＳ８）、これを受けて台間機３の表示部３２に、この喫煙エリアやこの喫煙予定時間帯で喫煙を薦めるメッセージが表示される。
【００６１】
その後、遊技者Ｐが喫煙エリアで喫煙するために休憩スイッチ３５をオンすると（ステップＳ９）、休憩信号が管理コンピュータ５に送信され（ステップＳ１０）、分煙判定部５１が起動される（ステップＳ１１）。そして、上記のようにして、遊技者Ｐが喫煙エリアで喫煙したか否かが判定され、喫煙エリアで喫煙したと判定された場合には、特典付与部５２によってこの遊技者Ｐに特典が付与される（ステップＳ１２）。また、ステップＳ１で遊技者Ｐが非喫煙者の場合にも、遊技終了後に特典が付与される。一方、遊技者Ｐが喫煙予定時間帯に喫煙エリアに行かない場合（休憩スイッチ３５をオンしない場合）には、この遊技者Ｐによる喫煙予約がキャンセルされ、他の遊技者Ｐによる喫煙が可能になる。さらに、遊技者Ｐが喫煙予約をキャンセルできる機能を備え、例えば、遊技者Ｐがキャンセル予告を台間機３から通知すると喫煙予約がキャンセルされ、キャンセルがあったこと（喫煙予定キャンセル情報）が管理コンピュータ及びキャンセル待ちをしている他の遊技者Ｐの台間機３に通知され、他の遊技者Ｐによる喫煙が可能になる。
【００６２】
また、遊技機１０１が大当たりなどして、台間機３から稼働状態を含む画像解析結果を管理コンピュータ５が受信すると、第２の時間変更部５４が起動される。そして、この遊技機１０１の稼働状態に基づいて、喫煙エリアでの喫煙を推薦する時間帯が出力され、台間機３の表示部３２に、この時間帯での喫煙を薦めるメッセージが表示される。
【００６３】
一方、遊技者Ｐが遊技機１０１の前で喫煙すると、そのことがカメラ３６と中央処理部３８によって検出され、喫煙ランプ３７が点灯する。これと同時に、台間機３から管理コンピュータ５に、遊技者Ｐが喫煙していることを示す画像解析結果が送信され、管理コンピュータ５から各店員携帯端末６に対して喫煙情報が送信される。これを受けて、各店員携帯端末６のタッチパネル６１に喫煙者である遊技者Ｐの位置が表示される。
【００６４】
また、遊技者Ｐが、他の遊技機１０１の前で喫煙が行われていることなどを発見した場合には、通報スイッチ３４をオンにする。これにより、通報信号が管理コンピュータ５に送信され、管理コンピュータ５から各店員携帯端末６に対して通報情報が送信される。これを受けて、各店員携帯端末６のタッチパネル６１に喫煙を通報した遊技者Ｐの位置が表示される。また、通報スイッチ３４をオンした遊技者Ｐに対して、特典付与部５２によって特典が付与される。
【００６５】
同様に、店員Ｃが、遊技機１０１の前で喫煙が行われていることなどを発見し、入力部で所定操作を行うと、通報信号が管理コンピュータ５に送信される。そして、管理コンピュータ５からの通報情報を受けて、各店員携帯端末６に喫煙者である遊技者Ｐの位置が表示されるとともに、この店員Ｃに対して、特典付与部５２によって特典が付与されるものである。
【００６６】
以上のように、この遊技場喫煙管理システム１によれば、まず、遊技者Ｐが喫煙者の場合には、喫煙エリアでの喫煙を依頼するメッセージが表示部３２に表示されるため、喫煙は喫煙エリアで行い遊技中には喫煙しない、という分煙を促進することが可能となる。さらに、分煙判定部５１によって遊技者Ｐが喫煙エリアで喫煙したか否かが判定され、喫煙エリアで喫煙したと判定されると、特典付与部５２によってこの遊技者Ｐに対して特典が付与される。つまり、喫煙は喫煙エリアで行い遊技中には喫煙しない、という分煙を実施した遊技者Ｐに対して特典が付与されるため、分煙をさらに促進することが可能となる。これにより、遊技者Ｐの分煙に対する意識付けを向上させることができる。
【００６７】
一方、遊技者Ｐが非喫煙者の場合にも、特典付与部５２によってこの遊技者Ｐに対して特典が付与される。つまり、元々喫煙しない遊技者Ｐにも特典が付与されるため、遊技者Ｐ間における不公平感をなくし、分煙や遊技場１００への来店を促進することが可能となる。
【００６８】
また、遊技者Ｐが喫煙エリアで喫煙する予定の時間帯を入力すると、この入力された時間帯に遊技者Ｐが喫煙エリアで喫煙したか否かが判定される。このため、遊技者Ｐが予定通りに喫煙したか否かを確認して、より適正な喫煙管理を行ったり、喫煙エリアの円滑かつ効率的な運用を促進したりすることが可能となる。
【００６９】
さらに、遊技者Ｐが入力した時間帯において喫煙エリアが混雑するか否かが判定され、混雑すると判定した場合には、別の時間帯での喫煙が推薦されるため、遊技者Ｐによる円滑な喫煙を促進できるとともに、喫煙エリアの円滑かつ効率的な運用を図ることが可能となる。
【００７０】
また、遊技機１０１の稼働状態に基づいて、喫煙エリアでの喫煙を推薦する時間帯が出力されるため、遊技者Ｐは遊技の状況に応じた適正な時間帯で喫煙を行うことができるとともに、喫煙による遊技への支障を抑制、防止することが可能となる。この結果、喫煙エリアでの喫煙をさらに促進することが可能となる。
【００７１】
また、遊技者Ｐが遊技している遊技機１０１の位置に基づいて喫煙エリアが推薦されるため、遊技者Ｐは近くの喫煙エリアで喫煙したり、自分が遊技している遊技機１０１が見える喫煙エリアで喫煙したりすることが可能となり、安心感を与える。この結果、喫煙エリアでの喫煙をさらに促進することが可能となる。
【００７２】
一方、遊技者Ｐなどは通報スイッチ３４をオンにすることで、他の遊技機１０１の前で喫煙が行われていることなどを通報できるため、この通報を受けて遊技場１００の店員Ｃが、喫煙者に対して喫煙エリアでの喫煙を依頼することができる。しかも、各店員Ｃの店員携帯端末６に通報した遊技者Ｐの位置が表示されるため、店員Ｃによる迅速かつ適正な対応が可能となる。さらに、通報した遊技者Ｐに対して特典が付与されるため、通報を促進することができる。これらの結果、喫煙エリアでの喫煙をさらに促進することが可能となる。
【００７３】
同様に、店員Ｃが喫煙などを発見した場合にも、喫煙者である遊技者Ｐの位置が各店員携帯端末６に表示されるとともに、この店員Ｃに特典が付与されるため、喫煙エリアでの喫煙をさらに促進することが可能となる。また、遊技者Ｐが遊技機１０１の前で喫煙した場合にも、管理コンピュータ５から各店員携帯端末６に対して喫煙情報が送信されて、各店員携帯端末６のタッチパネル６１に喫煙者である遊技者Ｐの位置が表示されるとともに、喫煙ランプ３７が点灯する。このため、店員Ｃが喫煙者に対して喫煙エリアでの喫煙を依頼して、分煙をさらに促進することが可能となる。
【００７４】
また、各店員Ｃの店員携帯端末６に、喫煙者および非喫煙者の双方の位置が表示されるため、店員Ｃは、どの遊技者Ｐが喫煙者でどの遊技者Ｐが非喫煙者であるかを容易に把握することができる。このため、例えば、喫煙者である遊技者Ｐに対して喫煙エリアでの喫煙を口頭で依頼することができ、喫煙エリアでの喫煙をさらに促進することが可能となる。また、非喫煙者であるべき遊技者Ｐが喫煙していることを発見した場合には、遊技者情報が不正に登録、記憶されていることになり、これを訂正することで適正なシステム運用を図ることが可能となる。しかも、喫煙を発見した店員Ｃなどに対して特典が付与されるため、喫煙の発見を促進することができる。この結果、喫煙エリアでの喫煙をさらに促進することが可能となる。
【００７５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の発明の実施では、カメラ３６からの画像処理によって喫煙の有無を判定しているが、煙センサによって喫煙の有無を判定してもよい。また、分煙判定部５１において、喫煙予定時間帯に休憩し、かつ、遊技機１０１の前で喫煙していない場合に、喫煙エリアで喫煙したと判定しているが、次のように判定してもよい。すなわち、喫煙エリアにＩＣリーダ３１と同様なＩＣリーダを備え、喫煙エリアのＩＣリーダで喫煙者である遊技者Ｐの識別情報が読み取られた場合に、喫煙エリアで喫煙したと判定してもよい。また、喫煙予定時間帯に休憩し、かつ、遊技機１０１の前で喫煙していない場合に、喫煙エリアで喫煙したと判定しているが、喫煙予定時間帯に係らず、遊技中に遊技機１０１の前で喫煙していない場合に、喫煙エリアで喫煙したと判定してもよい。
【００７６】
一方、島管理コンピュータ４は中継局的役割のみを主として備えているが、管理コンピュータ５の機能、構成の一部を島管理コンピュータ４に備えてもよい。
【符号の説明】
【００７７】
１        遊技場喫煙管理システム
２        会員カード（携帯記憶手段）
３        台間機
３１      ＩＣリーダ（情報読取手段）
３２      表示部（分煙依頼手段）
３３      入力部（喫煙時間入力手段）
３４      通報スイッチ（喫煙通報手段）
３５      休憩スイッチ（分煙判定手段）
３６      カメラ（分煙判定手段、稼働状態検出手段）
３７      喫煙ランプ
３８      中央処理部
４        島管理コンピュータ
５        管理コンピュータ
５１      分煙判定部（分煙判定手段）
５２      特典付与部（特典付与手段）
５３      第１の時間変更部（第１の喫煙時間変更手段）
５４      第２の時間変更部（第２の喫煙時間変更手段）
５５      エリア推薦部（喫煙エリア選出手段）
５６      端末管理部
５７      中央処理部（喫煙判定手段、及び選出エリア混雑度判定手段）
６        店員携帯端末
１００    遊技場
１０１    遊技機
１０２    遊技機島
１１０    遊技エリア
１２０    喫煙エリア
Ｐ        遊技者
Ｃ        店員
【図１】
0005960884.tif 000002
【図２】
0005960884.tif 000003
【図３】
0005960884.tif 000004
【図４】
0005960884.tif 000005
【図５】
0005960884.tif 000006
【図６】
0005960884.tif 000007
【図７】
0005960884.tif 000008
【図８】
0005960884.tif 000009